(57)【特許請求の範囲】
【請求項１】
建物の外周部を構成する軸組柱の隣り合う軸組柱同士の距離が所定モジュールの整数倍のいずれかの距離に設定され、このような設定モジュールで設定された軸組柱の外側に外壁パネルが装着され、外壁パネル同士の接合部が軸組柱に対向するように配置された建築中の建物において、この建物の全周に沿って組み立てられる足場であって、
建物側に位置する前踏みと称する支柱と、建物から見て前踏みの後方に位置する後踏みと称する支柱と、前踏みと後踏みとの両方に取り付けられるブラケットと、後踏みに片持ち状態で取り付けられるブラケットと、ブラケット上に支持される踏板とからなり、
足場の延設方向への隣り合う前踏み同士および後踏み同士のそれぞれの距離が、上記した軸組柱同士の距離に採用されたモジュールと同じモジュールの整数倍に設定され、少なくとも前踏みが、後踏みに対して一本おきで、かつ、外壁パネル同士の接合部と対向しないようにずれて配置され、さらに、建物の各隅部に前踏みと後踏みとの機能を兼用する支柱が配置されてなることを特徴とする足場。
【請求項２】
建物の各辺の長さに等しい足場が組み立てられるとともに、さらに、建物の各隅部に対して所定長さの足場が組み立てられて、上記足場に載置した踏み板の内側面と上記外壁パネルとの間隔が建物の全周にわたって一定となるように構成されていることを特徴とする請求項１記載の足場。
【請求項３】
屋根からの落下を防止するための落下防止柵を備えており、この落下防止柵は屋根の軒先との距離が建物の全周にわたって一定となるように、長さの相違があるブラケットを介して上記足場の後踏みに取り付けられていることを特徴とする請求項２に記載の足場。
【発明の詳細な説明】
【０００１】
【発明の属する技術分野】
本発明は、主として住宅の建築現場で用いられる足場に関する。
【０００２】
【従来の技術】
従来より、鋼製足場は、建築中の建物の外周に沿って組み立てられている。
【０００３】
その足場の一般的な構成について説明すると、建物の外周に沿って設置される後踏みと、後踏みに対して一本おきに設置される前踏みと、それら後踏みと前踏み間に取り付けられるブラケットと、前踏みがない後踏みに片持ち状態で取り付けられるブラケットと、それらブラケット間に架設される踏み板等によって構成されている。
【０００４】
ここで、従来の鋼製足場における、足場の延設方向へ隣り合う支柱同士の距離は、０．３ｍの整数倍のいずれかの距離に設定されていた。
【０００５】
これに対し、在来型の木造住宅の場合、隣り合う柱同士の距離は規則的でなく、任意に設定されていた。また、量産型の軽量鉄骨の軸組柱を用いた住宅の場合でも、この軸組柱同士の距離は、０．３０３ｍ、いわゆる昔ながらの尺の整数倍のいずれかの距離に設定されていた。
【０００６】
【発明が解決しようとする課題】
ところで、このような住宅の建築現場に、上記した足場を組み立てる場合、足場の支柱同士の距離と建物の柱同士の距離が互いに異なっている為、建物の外周における辺の長さと、その辺の方向に沿った足場の長さとを等しくすることが困難であった。従って、建物の辺に沿った方向の足場の長さを、建物の辺の長さに応じて所望の長さに調節することが困難であるため、建物の周囲に足場を組み立てたときに、踏板の内側面と外壁パネルとの間隔を一定にするのが困難であった。また、支柱同士の距離と建物の柱同士の距離が異なるために、偶然にも、柱に対向する位置あるいは外壁パネルの接合部に、前踏みが位置してしまうことがあった。
【０００７】
踏板の内側面と外壁パネルとの間隔を一定にできない場合、所望の間隔より広い箇所と、反対に狭い箇所とが生じることになるが、所望の間隔より広い箇所では、踏み板から作業員が落下してしまう危険があるために、落下防止の対策を施す必要がある。一方、所望の間隔より狭い箇所では、外壁パネルの接合部における目地処理が困難になる。また、外壁パネルの接合部に前踏みが位置する場合、外壁パネルの接合部における目地処理はかなり困難となる。
【０００８】
そこで、これらの問題を解決するために、建物の形状・寸法に応じて足場の支柱の配置の仕方を示す割り付けパターン表が用いられることもある。このような割り付けパターン表の作成は困難であるとともに、そのような割り付けパターン表の使用自体が煩わしいという問題もあった。
【０００９】
本発明は、これらの事情に鑑みてなされたもので、その目的は、外壁パネルの接合部における目地処理等を容易に行い、かつ、足場からの落下防止対策を施さずに済むよう、踏み板の内側面と外壁パネルとの間隔が一定となる足場を提供することである。
【００１０】
【課題を解決するための手段】
上記の目的を達成するために、請求項１の足場は、建物の外周部を構成する軸組柱の隣り合う軸組柱同士の距離が所定モジュールの整数倍のいずれかの距離に設定され、このような設定モジュールで設定された軸組柱の外側に外壁パネルが装着され、外壁パネル同士の接合部が軸組柱に対向するように配置された建築中の建物において、この建物の全周に沿って組み立てられる足場であって、建物側に位置する前踏みと称する支柱と、建物から見て前踏みの後方に位置する後踏みと称する支柱と、前踏みと後踏みとの両方に取り付けられるブラケットと、後踏みに片持ち状態で取り付けられるブラケットと、ブラケット上に支持される踏板とからなり、足場の延設方向への隣り合う前踏み同士および後踏み同士のそれぞれの距離が、上記した軸組柱同士の距離に採用されたモジュールと同じモジュールの整数倍に設定され、少なくとも前踏みが、後踏みに対して一本おきで、かつ、外壁パネル同士の接合部と対向しないようにずれて配置され、さらに、建物の各隅部に前踏みと後踏みとの機能を兼用する支柱が配置されてなるものである。
【００１１】
ここで、本発明に言うモジュールとは、建築設計上の基準となる単位寸法のことを指し、例えば、メーターモジュールである０．５ｍ、尺モジュールである０．３０３ｍが挙げられるが、他の基準となる単位寸法であってもよい。
【００１２】
この構成によれば、隣り合う軸組柱同士の距離が所定モジュールの整数倍のいずれかの距離に設定されてなる建物の周囲に、足場を構成する支柱を、足場の延設方向へ配置するが、その配置は、軸組柱同士の距離の設定に適用された所定モジュールと同じ所定モジュールを採用している。これによれば、足場の組み立て状態および建物の軸組柱の配置状態を模式的に表す平面図である図８に示すように、或る一組の支柱である前踏み３ａおよび後踏み３ｂを、足場の延設方向に寸法ｄ１  だけずらして配置すれば、その延設方向に位置する他の支柱は、同じ寸法ｄ１  だけずれて配置されることになる。
【００１３】
この点を活かして足場の各支柱をずらすことにより、各支柱は同じ寸法だけずれることになり、各支柱のずれ量の制御が容易となる。従って、いずれの軸組柱１に対しても、足場の前踏み３ａは対向せず、軸組柱１に対向する位置で行われる外壁パネルの接合部に対する作業を容易に行うことができる。
【００１４】
また、請求項２記載の足場は、上記請求項１記載の足場において、建物の各辺の長さに等しい足場が組み立てられるとともに、さらに、建物の各隅部に対して所定長さの足場が組み立てられて、上記足場に載置した踏み板の内側面と上記外壁パネルとの間隔が建物の全周にわたって一定となるように構成されているものである。
【００１５】
この構成によれば、隣り合う軸組柱同士の距離が所定モジュールの整数倍のいずれかの距離に設定され、足場の延設方向の隣合う支柱が軸組柱同士の距離の設定に適用された所定モジュールと同じ所定モジュールを基準として配置されている。
【００１６】
これにより、図６（ａ）に例示するように、建物の辺の長さに等しい長さの足場を組み立てることが容易となる。すなわち、建物Ａとその周囲に組み立てられる足場Ｂの寸法の関係は、ａ１  ＝ｂ１  ，ａ２  ＝ｂ２  である。このような足場部分を組み立て、さらに、建物の各隅部に対して、長さｂ７  の足場部分を組み立てることで、足場に載置した踏み板の内側面と、その面に対向する建物の辺との間隔ｄ２  を一定にすることができる。なお、前踏みと後踏みの距離ｃは一定である。この図では、建物Ａと足場Ｂとの間隙部分を、斜線で示している。
【００１７】
本発明は、この点を活かして、踏み板の内側面と外壁パネルとの間隔を一定にしており、例えばこの間隔を０．２ｍ程度に設定することで、外壁パネルの接合部における目地処理を容易に行えるとともに、足場からの落下防止対策を施さなくてもよくなる。従って、足場上での作業性や、安全性を兼ね備えた足場を提供することができる。
【００１８】
なお、図６（ａ）では、隅部が全て出隅部である建物に沿って、本発明の足場を組み立てた場合について示したが、本発明の足場を適用できるのはこの例に限らない。例えば、入隅部がある建物の周囲に沿って、足場を組み立てる場合には、図６（ｂ）、もしくは、図７に示すように足場を組み立てればよい。
【００１９】
すなわち、図６（ｂ）では、建物の各辺に沿って、その各辺と同じ長さとなる足場部分を個別に組み立てる。図面上、ａ１  ＝ｂ１  ，ａ２  ＝ｂ２  ，ａ３  ＝ｂ３  ，ａ４  ＝ｂ４  ，ａ５  ＝ｂ５  ，ａ６  ＝ｂ６  である。さらに、入隅部に隣合う２つの出隅部以外の出隅部に対して、長さｂ７  の足場部分を組み立てることで、踏み板の内側面と、その面に対向する建物の辺との間隔ｄ２  を一定にすることができる。
【００２０】
一方、図７では、建物の各辺に沿って、その各辺と同じ長さとなる足場部分を個別に組み立て、建物の、入隅部に隣合う２つの出隅部以外の出隅部に対して、長さｂ７  の足場部分を組み立てる。そして、入隅部を挟む２辺に沿って組み立てられる足場部分の間に、図面上、正方形状の足場を組み立てる。さらに、区間Ｐと区間Ｑとで、互いの高さが異なるようにすることで、一箇所Ｒで踏み板同士が重なるものの、踏み板の内側面と、その面に対向する建物の辺との間隔ｄ２  を一定にすることができる。なお、ここで言う高さの異なりの差は、通常、５ｃｍ程度であるために、踏み板は、同一平面上にあるものとして足場上の作業を行うことができる。
【００２１】
ここで、請求項３の発明は、屋根からの落下を防止するための落下防止柵を備えており、この落下防止柵は屋根の軒先との距離が建物の全周にわたって一定となるように、長さの相違があるブラケットを介して上記足場の後踏みに取り付けられているものである。
【００２２】
上述したように、請求項３の発明によれば、足場の支柱（後踏み３ｂ）と、建物の外周との間隔を一定にすることができるので、後踏みに取り付けた落下防止柵３２と、軒先との間隔を一定にすることも容易となる。
【００２３】
例えば、建物の外周部と、屋根の軒先との距離が一定の場合には、図面上、紙面に垂直な方向に並べて設けられるブラケット３０および３１に同じ長さのものを用いれば、落下防止柵３２と、軒先との間隔を一定にすることができる。また、建物の外周部と、屋根の軒先との距離が一定でない場合であっても、建物の外周部と、屋根の軒先との距離の相違量に相当する長さの相違があるブラケットを用いれば、落下防止柵３２と、軒先との間隔を一定にすることができる。
【００２４】
請求項３の発明は、この点を活かして、屋根の軒先と落下防止柵３２との距離を一定にしており、例えばこの距離を０．３ｍに設定することで、屋根上から仮に落下しそうになっても、落下防止柵に容易につかまることができ、従って、屋根上での作業を安全に遂行することができる。
【００２５】
【発明の実施の形態】
以下に本発明の実施の形態について、図面を参照しながら説明する。
【００２６】
図１は、本発明の足場の実施の形態を示す模式的平面図で、建物およびその周囲に沿って組み立てた足場の約半分を表し、図２は、図１の足場の側面図である。そして図３は、本発明の足場を組み立てる建物の隅部を表す横断面図であり、その（ａ）は建物の出隅部、その（ｂ）は建物の入隅部を表している。
【００２７】
この実施の形態は、建物の外周に沿って足場を構築する場合を表している。なお、建物の外周に沿って組み立てられる足場の全体的な構成としては、例えば、図６（ａ）または（ｂ）に示すような実施の形態が考えられる。図１は、この図６（ａ）に示すものと同じであるが、図面上、上部と下部が互いに点対称的であるため、下部を省略している。図１に示すように、建物の軸組柱１は１．５ｍまたは２ｍおきに配設されており、これらの軸組柱１の周囲に足場を構築するのである。本発明の足場の踏板２は、例えば、長さが２．０ｍ、１．５ｍ、１．０ｍであり、それらの幅は、例えば、０．４ｍである。足場の支柱３は、建物の外面に対して直角に配置されたブラケットを介して踏み板２を支持しているため、踏板２の長さは、隣り合う支柱３同士の距離に等しくなっている。また、足場の支柱３は、建物側に位置する前踏み３ａ（図２では図示せず）と、その前踏み３ａの後方に位置する後踏み３ｂとからなっている。二枚の踏板２を支持するにあたり、四本の支柱で支えれば、踏板２上に人が乗っても耐えられるので、踏板２の長さ方向の端部の一方は、後踏み３ｂに取り付けられた片持ち状態のブラケットにより支持されており、端部の他方は、後踏み３ｂと前踏み３ａの両方に取り付けられたブラケットにより支持されている。従って、前踏み３ａは、後踏み３ｂに対して、一本おきに配設されている。
【００２８】
次に、この実施の形態の特徴的構成について述べる。足場が組み立てられる建物の外周部を構成する軸組柱１は、その隣り合うもの同士が、互いにメーターモジュールの整数倍である１．５ｍ、もしくは２．０ｍの距離をおいて配設されている。これに対し、足場を構成する後踏み３ｂは、その隣り合うもの同士が互いに、同じくメーターモジュールの整数倍である１．５ｍ、もしくは２．０ｍの距離をおいて配設されている。そして、隣り合う軸組柱１同士の距離と、隣り合う後踏み３ｂ同士の距離とは、向かい合う部分で、等しくなっている。
【００２９】
ここで、前踏み３ａと、後踏み３ｂは、各々、近傍の軸組柱１に対して、足場の延設方向に、０．２ｍずれて配置されている。
【００３０】
ここまでの特徴的構成の説明は、足場の、建物の隅部以外に沿って組み立てられる部分についての説明である。次に、足場の、建物の隅部に沿って組み立てられる部分についての説明をする。足場の、建物の隅部に沿って組み立てられる部分は、隣り合う後踏み３ｂ同士の距離が、例えば１．０ｍの距離に設定されている。
【００３１】
ここで、支柱４０は、前踏みの機能と、後踏みの機能とを備えている。例えば、右側の支柱４０は、図面上、縦方向では踏み板２５を支持するための前踏みとして機能しているが、横方向では踏み板２６を支持するための後踏みとして機能している。
【００３２】
このような足場においては、各前踏み３ａが、その近傍の軸組柱１に対し、０．２ｍずつずれた位置に配置されているので、軸組柱１に対向して行われる外壁パネルの目地処理等を容易に行うことができる。
【００３３】
また、図１の足場の側面図である図２、および建物の出隅部付近を表す横断面図である図３（ａ）に示すように、後踏み３ｂは、軸組柱の裏面１ａとの距離ｆが０．８ｍとなるように配置されているとともに、軸組柱１には厚みｗが６０ｍｍのものを、外壁パネル４には厚みが３５ｍｍのものを使用しているので、外壁の外面４ａと踏板２の内面との距離ｅは、２０６ｍｍ（＜３００ｍｍ）となっており、従って落下防止の対策を施す必要がない。なお、図２、３（ａ）に示す２点鎖線Ｎ１は、軸組柱の裏面１ａを通る面を表し、足場を構築する際の基準面となっている。また、図３（ａ）に示す距離Ａが、出隅部付近における軸組柱同士の距離を表しており、この例では、図面上、左側出隅部において、２．０ｍとなっている。
【００３４】
図４は、本発明の他の実施の形態の模式的平面図で、建物およびその周囲に沿って組み立てた足場の約半分を表している。また、図３（ｂ）は、本発明の足場を組み立てる建物の入隅部付近を表す横断面図である。
【００３５】
この実施の形態は、建物の外周部に沿って足場を構築する場合を表しているとともに、その建物の外周部には、入隅部５が形成されている。なお、入隅部を有する建物の外周部に沿って組み立てられる足場の全体的な構成としては、例えば、図６（ｂ）または図７に示すような実施の形態が考えられる。図４は、この図７に示すものと同じであり、下部については図示しなくても理解できると判断したため、その下部を省略している。
【００３６】
図３（ｂ）に示すＮ２は、建物の軸組柱の内面同士を結ぶ平面を表しており、この平面は、足場を組み立てるときの基準面となっている。図４に示す入隅部５を挟む基準面Ｎ２，Ｎ２の水平長さ（建物の辺の長さ）は、一方が３．０ｍ、他方が２．０ｍとなっており、軸組柱１は、前者では２．０ｍ、１．０ｍの間隔、後者では２．０ｍの間隔をおいて配設されている。入隅部５の構成は、拡大すれば、図３（ｂ）に示すような構造になっている。また、距離Ｂが、入隅部における軸組柱同士の距離を表しており、この例では、１．０ｍとなっている。
【００３７】
外壁パネルの外面６ａと踏板２の内面との間隔は、足場の側面図である図２でも示したように、２０６ｍｍとなるように構成されており、足場の支柱３は、その近傍の軸組柱１から０．２ｍもしくは０．８ｍずれて位置している。従ってこの場合も、外壁パネルの目地処理等を容易に行うことができる。
【００３８】
また、この実施の形態では、入隅部５に沿って、長さ０．６ｍ、幅０．４ｍの踏板２１が、その長さ方向を、図面上、横方向に向けた状態で設けられている。踏板２１の隣りには、その一方に踏板２４、その先に踏板２２が設けられ、踏板２１に隣り合う他方には、踏板２３が設けられている。踏板２４と踏板２２の長さの和は３．０ｍであり、また踏板２３の長さは２．０ｍである。従って、踏板２２、２３が、出隅部を一端とする基準面Ｎ１，Ｎ２から０．８ｍずつ突出するため、この突出部分に隣接するように踏板を設けることにより、踏板と基準面の間隔を一定にすることができる。
【００３９】
図５に本発明のさらに他の実施の形態の側面図を示す。この実施の形態では、図２に示す後踏み３ｂに、ブラケット３０，３１を介して落下防止柵３２が取り付けられている。ブラケット２４，２５の長さは各々、例えば３５０ｍｍであり、基準面Ｎ１（Ｎ２）から軒先までの距離は一様に８５０ｍｍであるから、落下防止柵の支柱３２ａと屋根の軒先との距離ｇは、３００ｍｍで一定となっている。従って、屋根上での作業を安全に行うことができる。ここで、距離ｅ，ｆに関しては、図２の場合と同じ値であり、距離ｅは２０６ｍｍ、距離ｆは８００ｍｍである。
【００４０】
なお、本発明の実施の形態においては、上記した形態に限ることはなく、例えば、以下のように変更して実施することができる。
【００４１】
建物の外周部を構成し互いに隣り合う軸組柱同士の距離が、いわゆる尺モジュールである０．３０３ｍの整数倍のいずれかの距離に設定されてなる建物の周囲に、足場の列設方向へ隣合う支柱同士の距離が、同じく０．３０３ｍの整数倍のいずれかの距離に設定されてなる足場を設置してもよい。この場合も、上記した実施の形態と同様の効果を奏することができる。
【００４２】
【発明の効果】
本発明の足場を用いれば、足場の支柱である前踏みが、外壁パネルの接合部に対向しないので、建物の周囲において、外壁パネルの目地処理等を容易に行うことができる。
【００４３】
また、本発明の足場を用いれば、踏み板の内側面と、外壁パネルとの間隔が一定となるので、建物の周囲において、外壁パネルの目地処理等を容易に行うことができ、しかも足場からの落下を防止するための対策を施す必要がない。
【００４４】
また、本発明の足場の後踏みに落下防止柵を取り付けた場合、その落下防止柵と、建物の軒先の間隔が一定となるので、屋根上での作業を安全に行うことができる。
【図面の簡単な説明】
【図１】本発明の実施の形態を示す模式的平面図である。
【図２】図１に示す足場の側面図である。
【図３】本発明における建物の隅部の構造を表す横断面図で、出隅部の横断面図（ａ）と、入隅部の横断面図（ｂ）である。
【図４】本発明の他の実施の形態を示す模式的平面図である。
【図５】本発明のさらに他の実施の形態を示す側面図である。
【図６】本発明における足場の配置状態を表す説明図で、建物が出隅部のみの場合（ａ）と、出隅部の他に入隅部を有する場合（ｂ）である。
【図７】本発明における足場の配置状態を表す説明図で、建物が出隅部の他に入隅部を有する場合について表すものである。
【図８】本発明における足場の配置状態を表す説明図である。
【符号の説明】
１・・・・軸組柱
２・・・・踏板
３・・・・支柱
３２・・・・落下防止柵
【図１】
0003553322.tif 000002
【図２】
0003553322.tif 000003
【図３】
0003553322.tif 000004
【図４】
0003553322.tif 000005
【図５】
0003553322.tif 000006
【図６】
0003553322.tif 000007
【図７】
0003553322.tif 000008
【図８】
0003553322.tif 000009